(57)【要約】【課題】ミシンの縫合部の布送り方向手前に配置され、布送りと直交する方向に所望の間隔で組付けられた一組のメス機構によりテープ状物を所望の切幅で切断する切断装置において、ダイヤル操作により左右のメス機構のメス位置の調節が同時に正確に行われ、所望の切幅調節が簡易にかつ短時間で行える切断装置を提供する。【解決手段】ダイヤル２１と一体をなすネジ軸２２は外周と内周に刻設された右ネジと左ネジを有し、回転のみ可能に軸支されている。下メス１１、１５を取付けた一組の下メス取付台１２、１６のうち、一方は内周にネジを刻設した中空状軸部１７を有し、前記ネジ軸２２の外周側に螺着され、また他方は前記中空状軸部１７を通って前記ネジ軸２２の内周側に螺着される。前記ネジは全てリードが同じに形成され、ダイヤルの回動操作により両下メス取付台１２、１６が同時に等量互いに接近し、或いは離間する。【選択図】図７
2017176306.tif 000002
【特許請求の範囲】
【請求項１】
下メスを備えた左右一対の下メス取付台と、前記下メスに押付けられた状態で昇降駆動され、前記下メスと協働してテープ状物をその長手方向に沿って切断する上メスよりなるメス機構を有し、該メス機構が針棒の中心を通って布送り方向に延びる縫製中心線を挟んでその両側に等量の幅で振り分けられ、前記針棒の針株に取付けられる針を含む縫合部の布送り方向手前側に配置されるミシン用テープ状物の切断装置であって、ダイヤルと、該ダイヤルの回動操作によって回転するネジ軸を有し、該ネジ軸は右ネジと左ネジを備え、両ネジはリードが同一で、前記右ネジに、左右の下メス取付台のうち一方の取付台に設けたネジ部が螺着されると共に、前記左ネジに他方の取付台に設けたネジ部が螺着される切幅調節装置を設けたことを特徴とする切断装置。
【請求項２】
前記ネジ軸は中空軸で、内周面と外周面のうち、いずれか一方に右ネジが、他方に左ネジがそれぞれ刻設されることを特徴とする請求項１記載の切断装置。
【請求項３】
前記ネジ軸は、一側に右ネジが、他側に左ネジがそれぞれ刻設されることを特徴とする請求項１記載の切断装置。
【請求項４】
前記縫製中心線を挟んで、その両側に下メス又は下メス取付台の位置を読み取るための目盛を付し、かつ前記左右の下メス取付台がそれぞれ左右方向にスライド可能に係合して各下メス取付台の回転止めを行う目盛板が設けられることを特徴とする請求項１ないし３のいずれかの請求項に記載の切断装置。
【発明の詳細な説明】
【技術分野】
【０００１】
本発明は、テープ状物、例えばズボンのウエスト部にベルトを通すためのベルトループを作製するミシンの縫合部の布送り方向手前に配置され、布送りと直交する方向に組み込まれた一組のメス機構によりテープ状物を所望の切幅で切断する切断装置に関する。
【背景技術】
【０００２】
ミシンを用いてテープ状物、例えばズボンのウエスト部に縫い付けられるベルトループを作製する際には、縫合部の布送り方向手前側に配置した切断装置によりベルトループ用テープ状物を針棒中心を通って布送り方向に延びる縫製中心線の両側に等量の切幅で切り揃えたのち、折り込みガイドに通してテープ状物の左右両側縁を下向きに折り込んだ状態で縫合部に送りこみ、テープ状物の左右両端を針で布送り方向に縫製することが行われている。
【０００３】
前記切断装置としては、前記縫製中心線を挟んで、その両側に等間隔で配置され、下メス取付台の左右両側に固定される下メス及び、両下メスの外側面にそれぞれ押付けられた状態で昇降駆動される上メスとよりなり、前記縫製中心線の両側に対称位置に組付けされたメス機構によりテープ状物の左右両側縁を前記縫製中心線より等量の切幅で切断する装置が知られ、この装置には、各メス機構の布送りと直交する方向の左右位置を調節する調節機構が設けられ、テープ状物の切幅を調節できるようになっている。
【０００４】
前記装置における切幅の調節は、具体的には、メス機構の構成中、下メスが取着される下メス取付台の軸状ガイドを止着する止ネジを弛めて下メス取付台を下メスと共に左右方向に位置調整したのち、ミシン内部機構に連動して揺動駆動される揺動軸に止着され、かつ上メスが取着される上メス取付台の止ネジを弛めて上メス取付台を上メスと共に揺動軸に沿い、左右方向に移動させて上メスを下メスに押付けることにより行われ、この作業は左右のメス機構でメス位置が前記縫製中心線を挟んで対称位置となるように個別に行っていた。こうしたメス位置の調節は従来、調節の都度、試し縫いを行い、試行錯誤を繰り返すか、或いは針板に刻印された目盛を目安にして個々に調節していた。メス位置の別の調節方法として、定規等を下メスに上方より当てがって定規等の目盛を読み取りながら下メス位置の調節を行い、下メス位置の調節後、上メスを下メスに押付けるべく位置調節する方法も知られるが、前述の下メスの位置調節を行うのに一方の手で定規等を下メスに当てがい、定規等の目盛を読み取りながら下メスの位置調整を行う一方、他方の手で止ネジの捩じ込み操作を行うこと、しかもこの作業を左右のメスでそれぞれ個別に行うことは面倒であり、容易でなかった。
【０００５】
前記の調節作業を容易にするため、下記特許文献１には、下メスが止着される下メス取付台が下メス土台に固定され、下メス土台が取付けられるブラケットに対し、下メス土台を該土台に捩じ込んだダイヤル式操作ネジの回動操作により左右方向に移動させ、これにより下メスと該下メスに押付けられる上メスの位置調節が行われるようにした切断装置が提案されている。
【先行技術文献】
【特許文献】
【０００６】
【特許文献１】特開２００３−３２６０４６号公報
【発明の概要】
【発明が解決しようとする課題】
【０００７】
前記特許文献１に開示される切断装置においては、ダイヤル式ネジを回転操作するだけで下メスと、該下メスに押付けられる上メスのメス機構による切幅を簡易に調節することができ、調節時には補助板の目盛を読み取りながら下メス土台の位置を決定することにより、調節された切幅を前記縫製中心線を挟んで、その両側に等量ずつ、正しく振り分けることができ、従来のように調節後の切幅が前記中央線の両側に等量振り分けられているかどうかを確認するために下メス土台の位置を少しずつ調節し、調節の都度、試し縫いを行うといった面倒な作業が不要となり、所望の切幅調節を手間及び余分な時間をかけずに容易かつ能率よく行うことができる、といった効果を有するが、この切断装置においては、左右のメス位置を補助板の目盛に合わせて個別に調節せねばならなかった。
【０００８】
本発明は、ダイヤル操作により左右のメス機構のメス位置の調節が同時に正確に行われ、これにより所望の切幅調節が簡易にかつ短時間で行えるようにした切断装置を提供することを目的とする。
【課題を解決するための手段】
【０００９】
請求項１に係る発明は、下メスを備えた左右一対の下メス取付台と、前記下メスに押付けられた状態で昇降駆動され、前記下メスと協働してテープ状物をその長手方向に沿って切断する上メスよりなるメス機構を有し、該メス機構が針棒の中心を通って布送り方向に延びる縫製中心線を挟んでその両側に等量の幅で振り分けられ、前記針棒の針株に取付けられる針を含む縫合部の布送り方向手前側に配置されるミシン用テープ状物の切断装置であって、ダイヤルと、該ダイヤルの回動操作によって回転するネジ軸を有し、該ネジ軸は右ネジと左ネジを備え、両ネジはリードが同一で、前記右ネジに、左右の下メス取付台のうち一方の取付台に設けたネジ部が螺着されると共に、前記左ネジに他方の取付台に設けたネジ部が螺着される切幅調節装置を設けたことを特徴とする。
【００１０】
請求項２に係る発明は、請求項１に係る発明において、前記ネジ軸は中空軸で、内周面と外周面のうち、いずれか一方に右ネジが、他方に左ネジがそれぞれ刻設されることを特徴とする。
【００１１】
請求項３に係る発明は、請求項１に係る発明において、前記ネジ軸は一側に右ネジが、他側に左ネジがそれぞれ刻設されることを特徴とする。
【００１２】
請求項４に係る発明は、請求項１ないし３のいずれかの発明において、前記縫製中心線を挟んで、その両側に下メス又は下メス取付台の位置を読み取るための目盛を付し、かつ前記左右の下メス取付台がそれぞれ左右方向にスライド可能に係合して各下メス取付台の回転止めを行う目盛板が設けられることを特徴とする。
【発明の効果】
【００１３】
本発明によると、ダイヤルを回動操作すると、前記縫製中心線を挟んでその両側に配置される下メス取付台に取付けられる下メスと、該下メスに押付けられた状態の上メスを備えたメス機構が共にダイヤルの一回転ごとにネジの一リードずつ接近する方向、或いは逆の離間する方向に移動するようになり、したがって前記左右のメス機構が共に前記中心線より等量の切幅で同時かつ正確に離間若しくは接近し、これにより左右のメス機構のメス位置をばらばらに個別に調節しなくても所望の切幅の調節が前記中心線の両側で同時にしかも簡易かつ短時間で行えるようになる。
【００１４】
また請求項４に記載されるような目盛板を設けると、調節された下メス又は下メス取付台の位置を読み取ることができると共に、ダイヤルを回動操作する際、下メス取付台の位置調節を妨げることなく、下メス取付台がネジ軸と連れ回りするのを防ぐことができる。
【図面の簡単な説明】
【００１５】
【図１】本発明に係る切断装置が取付けられる偏平縫いミシンの全体を示す斜視図。
【図２】図１に示す切断装置を右側から見た斜視図。
【図３】同切断装置を左側から見た斜視図。
【図４】同切断装置の正面図。
【図５】同切断装置の要部構造の分解斜視図。
【図６】図４のＡ−Ａ線における断面図。
【図７】切断装置における切幅調節装置の要部を示す部分断面正面図。
【図８】切断装置の要部構造の概略図。
【図９】切幅調節装置の要部を示す別の態様の概略図。
【発明を実施するための形態】
【００１６】
図１は、本発明が対象とするミシンの一例である偏平縫いミシン１の全体を示すもので、針板Ｐ下の図示しないルーパ機構を含め、針棒の針株に布送りと直交する方向に並列して取付けられ、前記ルーパ等と共に縫合部を構成する二本針と、押え金及び縫合部の布送り方向手前側の折り込みガイド（ベルト状物の左右両側縁を下向きに織り込むガイド）はいずれも図示省略してある。
【００１７】
折り込みガイドの布送り方向手前には更にテープ状物を前記針棒中心（二本針の針間中央）を通って布送り方向に延びる縫製中心線を挟んで、その両側に前記縫製中央線より等量の切断幅で切断する切断装置ＣがベッドＢ前面に設けられている。
【００１８】
図２は、前記切断装置Ｃを右側から見た斜視図、図３は同切断装置Ｃを左側から見た斜視図、図４は同切断装置Ｃの正面図、図５は後述の上メス機構Ａ１、Ａ２を除く切断装置Ｃの分解斜視図、図６は図４のＡ−Ａ線での断面図で、切断装置Ｃは右側のメス機構Ｓ１と左側のメス機構Ｓ２よりなる一組のメス機構を前記縫製中心線を挟んだ対称位置に備えている。以下、これらメス機構Ｓ１、Ｓ２を備えた切断装置Ｃについて詳述する。
ベッドＢの前面に台座２にて取付けられる凹形のブラケット３には、下メス機構と上メス機構より構成されるメス機構Ｓ１及びＳ２が布送り方向と直交する左右方向に並列して組み付けてある。
【００１９】
メス機構Ｓ１を構成する下メス機構は、図２〜図５に示されるように、前記ブラケット３に止ネジ６にて止着される右下メス土台４と、右下メス１１が止ネジにて止着されるプレート状の右下メス取付台１２を有し、該取付台１２より側方に突出する軸部１３が前記右下メス土台４に布送りと直交する左右方向にスライドかつ回転可能に通して軸支されている。
【００２０】
メス機構Ｓ２を構成する下メス機構は、同じく前記ブラケット３に止ネジ７にて止着される左下メス土台５と、左下メス１５が止ネジにて止着されるプレート状の左下メス取付台１６を有し、該取付台１６より側方に突出する中空状軸部１７が前記右下メス土台５に同じく左右方向にスライドかつ回転可能に通して軸支されている。そして前記取付台１２の軸部１３が図７に示すように、左下メス取付台１６に開けられた嵌挿孔１８を貫通して中空状軸部１７内に突出し、先端部がネジ部１３ａとなっている。また前記中空状軸部１７は内径が前記軸部１３の外径より大で、内周面にはネジが刻設され、ネジ部１７ａとなっている。
【００２１】
ネジ部を備えた前記軸部１３や中空状軸部１７は、ダイヤル２１、及び該ダイヤル２１と一体をなしダイヤル軸を構成するネジ軸２２と共に切幅調節装置Ｄ（図７参照）を構成するもので、前記ネジ軸２２は中空状で、外周面及び内周面にネジが刻設され、外周側のネジに左下メス取付台１６の中空状軸部１７が外側より捩じ込んで螺着されると共に、該中空状軸部１７内に通された前記右下メス取付台１２の軸部１３のネジ部１３ａがネジ軸２２の内周側のネジに内側より捩じ込んで螺着されている（図７参照）。このネジ軸２２は、ダイヤル２１近くの周溝２３に、左下メス土台５に止着されるＬ形金具２４のＵ形溝２５が嵌合係止することにより軸方向の動きが拘束され、回転のみ可能に支持されている。
【００２２】
ダイヤル２１のネジ軸２２の外周及び内周に刻設されたネジは一方が右ネジ、他方が左ネジで、これら両ネジを含め、中空状軸部１７内周のネジ部１７ａ及び軸部先端部のネジ部１３ａのネジはいずれもリードが同一に形成され、ダイヤル２１を回動操作すると、ダイヤル２１を一回転する都度、右下メス取付台１２と左下メス取付台１６が１リード、例えば１ｍｍずつ互いに接近し或いは遠ざかるように布送りと直交する方向に移動するようになる。したがって右下メス取付台１２と左下メス取付台１６を共に針棒の中心である二本針間の中央を通って布送り方向に延びる縫製中心線を挟んで、その両側に縫製中心線より等量の位置となるように右下メス取付台１２の軸部１３のネジ部１３ａをダイヤル２１のネジ軸２２に内側より捩じ込み、かつ左下メス取付台１５の中空状軸部１７を前記ネジ軸２２の外側に捩じ込んでおけば、ダイヤル２１の回動操作により右下メス取付台１２に止着の右下メス１１と、左下メス取付台１６に止着の左下メス１５とが同時に前記縫合中心線を挟んでその両側に等量ずつ正確に接近し、或いは遠ざかるように移動する。
【００２３】
左下メス土台５には布送り方向手前の前面の凹溝２５に目盛板２６の一側が嵌着されてネジ止され、右下メス取付台１２の前端段部２７及び左下メス取付台１６の前端段部２８に係着して両メス取付台１２及び１６の回り止めを行い、ダイヤル２１操作時の連れ回りを生じないようにしている（図６参照）。
【００２４】
次に前記下メス機構と共にメス機構Ｓ１及びＳ２を構成する上メス機構Ａ１、Ａ２について詳述する。
前記ブラケット３にはまた、揺動軸９が布送りと直交する左右方向に架設され、揺動かつ軸方向にスライド可能に軸支されており、メス機構Ｓ１の右上メス機構Ａ１は、一端を前記揺動軸９に固着したフック部３１を有し、該フック部３１は他端上部に右上メス３２が止着され、その下部には布送りと直交する方向に突出するピン３３を有している。このピン３３にはミシンの図示しない内部機構に連結されるリンク３４一端の駒３５がスライド可能に嵌挿されている。
【００２５】
以上のように構成された右上メス機構Ａ１は、フック部３１がミシンの内部機構に連動して揺動軸９を支点として上下方向に揺動し、右上メス３２を昇降駆動させるようになっている。
【００２６】
メス機構Ｓ２の左上メス機構Ａ２は、一端が前記揺動軸９にスライドかつ回動可能に軸支されるフック部３７を有し、前記フック部３１と同様、他端上部に左上メス３８が止着されている。そして揺動軸９の下方において、フック部３７は前記フック部３１とロッド３９により連結され、フック部３１の揺動によりロッド３９を介してフック部３１と同様、揺動軸９を支点として上下に揺動するようになっている。
【００２７】
前記揺動軸９にはまた、所要部に形成されたネジ部に図８に示すようなナット４１が捩じ込んで取付けてあり、該ナット４１と左上メス機構Ａ２のフック部３７との間の揺動軸９には圧縮バネ４２が装着され、該圧縮バネ４２は前記ナット４１とフック部３７の間隔を押し拡げるように作用し、これによりフック部３７が図８の右矢印方向に押し動かされて左上メス３８を左下メス１５に左方より押付ける一方、ナット４１が揺動軸９を伴って図の左矢印方向に押し動かされ、揺動軸９に固着のフック部３１を図の矢印方向に押し動かし、フック部先端の右上メス３２を右下メス１１に右方より押付けるようにしている。
【００２８】
前記メス機構Ｓ１、Ｓ２のメス位置の調節は、ナット４１を弛めて圧縮バネ４２を解放し、上メス機構Ａ１及びＡ２のフック部３１及び３７をフリーにし、左右動できるような状態にしたのち、ダイヤル２１を回動操作することにより行う。
【００２９】
ダイヤル２１の回動操作により右下メス１１と左下メス１５は前述するように互いに近接し、或いは遠ざかるように移動するが、右上メス３２と左上メス３８はそれぞれ前記圧縮バネ４２の作用により右下メス１１と左下メス１５の左右方向の変位に追従して各下メス１１、１５に押付けられた状態で変位し、調節位置において、各下メス１１、１５と協働してテープ状物の両側の切断作業を行う。
【００３０】
本実施形態の切断装置Ｃは以上のように構成され、切断装置Ｃに供給されたテープ状物は前記縫製中心線の両側において等量ずつ設定の切幅で切断されながら前記折り込みガイドに送られ、左右両側縁が下向きに折り曲げられたのち、縫合部に送られ、両側縁の縫合が行われる。
【００３１】
前記実施形態の切断装置では、ダイヤル２１にネジ軸２２が一体に形成されているが、ダイヤル２１とネジ軸２２との間に伝動機構を設け、ダイヤル２１の回動操作により伝動機構を介してネジ軸２２を回動させるようにしてもよい。これによりダイヤル２１を作業者の操作し易い位置に設けることができる。
【００３２】
前述の下メス１１及び１５を遠ざけ或いは接近するように移動させるための機構としては、前記とは別の機構を採用することもできる。
【００３３】
図９はその例を示すもので、ダイヤル４４と一体をなし、該ダイヤル４４によって回動操作されるダイヤル軸のネジ軸４５には左右両側に右ネジ４６と左ネジ４７が中央線ｏを挟んで対称に刻設され、右ネジ４６には右下メスが取付けられる右下メス取付台４８に設けたネジ部４８ａが螺着される一方、左ネジ４７には左下メスが取付けられる左下メス取付台４９に設けたネジ部４９ａが螺着されている。
【００３４】
本実施形態において、ネジ軸４５をその中央線ｏが前述の縫製中心線に合致するように組み付けると、ダイヤル４４の回動操作によりネジ部４８ａ、４９ａを備えた左右の下メス取付台４８、４９が前記実施形態と同様、縫製中心線の両側で等量ずつ互いに接近し、或いは遠ざかるように移動するようになる。
【００３５】
前記実施形態では、切断装置Ｃを二本針の偏平縫いミシンに取付けた例を示したが、二本針以外の偏平縫いミシン、或いは偏平縫いミシン以外の本縫いミシン、二重環縫いミシン等に同様にして取付けることができる。
【００３６】
前記実施形態には、左右のメス位置が調節可能な切断装置を示したが、テープ状物の左右をガイドするテープガイドを備えたガイド機構についてもテープガイドの左右位置を同様の機構を用いてテープ幅に応じた調節を行うようにすることもできる。
【符号の説明】
【００３７】
３・・ブラケット
４、５・・メス土台
９・・揺動軸
１１、１５・・下メス
１２、１６・・下メス取付台
１３・・軸部
１３ａ・・軸先端部（ネジ部）
１７・・中空状軸部
２１・・ダイヤル
２２、４５・・ネジ軸
２４・・Ｌ形金具
２６・・目盛板
３１、３７・・フック部
３２、３８・・上メス
３９・・ロッド
４１・・ナット
４２・・圧縮バネ
４６・・右ネジ
４７・・左ネジ
４８ａ、４９ａ・・ネジ部
Ａ１、Ａ２・・メス機構
Ｂ・・ベッド
Ｃ・・切断装置
Ｄ・・切幅調節装置
【図１】
2017176306.tif 000003
【図２】
2017176306.tif 000004
【図３】
2017176306.tif 000005
【図４】
2017176306.tif 000006
【図５】
2017176306.tif 000007
【図６】
2017176306.tif 000008
【図７】
2017176306.tif 000009
【図８】
2017176306.tif 000010
【図９】
2017176306.tif 000011